(57)【要約】【課題】  マイクロカプセルの材料としての無駄をなくすとともに回路構成を簡易にし、さらには、表示特性の低下を防止するとともに、生産性の低下をも防止した、表示装置とその製造方法、及び、この表示装置を備えた電子機器を提供する。【解決手段】  画素電極２を有してなる第１の基板３と、共通電極４を有してなる第２の基板５と、第１、第２の基板間に挟着されてなるマイクロカプセル６とを備え、マイクロカプセル６に、電気的刺激に対応して光学特性が変化する表示材料が封入されてなる、表示装置である。マイクロカプセル６が、第１の基板３と第２の基板５との間の、画素電極２によって形成される表示エリア９に選択的に配置されている。第１の基板３あるいは第２の基板５の、表示エリア９に対して背景部となる背景エリア１５が、背景色に形成されている。【選択図】      図１
2006171688.tif 000002
【特許請求の範囲】
【請求項１】
画素電極を有してなる第１の基板と、共通電極を有してなる第２の基板と、これら第１、第２の基板間に挟着されてなるマイクロカプセルと、を備え、前記マイクロカプセルに、電気的刺激に対応して光学特性が変化する表示材料が封入されてなる、表示装置において、
前記マイクロカプセルが、前記第１の基板と第２の基板との間の、前記画素電極によって形成される表示エリアに選択的に配置され、
前記第１の基板あるいは第２の基板の、前記表示エリアに対して背景部となる背景エリアが、背景色に形成されていることを特徴とする表示装置。
【請求項２】
前記表示材料が、液相分散媒と電気泳動粒子とを含む電気泳動分散液であることを特徴とする請求項１記載の表示装置。
【請求項３】
前記背景エリア側となる基板は、その基材の色が前記背景色と同じ色であることを特徴とする請求項１又は２に記載の表示装置。
【請求項４】
前記背景エリアが、前記表示エリアを囲んでなる隔壁部によって形成されていることを特徴とする請求項１〜３のいずれか一項に記載の表示装置。
【請求項５】
前記第１の基板および第２の基板がフレキシブル基板からなっていることを特徴とする請求項１〜４のいずれか一項に記載の表示装置。
【請求項６】
画素電極を有してなる第１の基板と、共通電極を有してなる第２の基板と、これら第１、第２の基板間に挟着されてなるマイクロカプセルと、を備え、前記マイクロカプセルに、電気的刺激に対応して光学特性が変化する表示材料が封入されてなる、表示装置の製造方法において、
前記第１の基板において前記画素電極によって形成される表示エリアからなる第１のエリア、あるいは前記第２の基板において該表示エリアに対応する第２のエリア上に、前記マイクロカプセルを含有してなるマイクロカプセル材料を選択的に配する工程と、
前記第１の基板において前記表示エリアに対して背景部となる背景エリアからなる第３のエリア、あるいは第２の基板において前記背景エリアに対応する第４のエリアを、背景色にする工程と、
前記マイクロカプセル材料を乾燥する工程と、
前記の乾燥工程後に前記第１の基板と第２の基板とを接合する工程と、を備えたことを特徴とする表示装置の製造方法。
【請求項７】
前記表示材料が、液相分散媒と電気泳動粒子とを含む電気泳動分散液であることを特徴とする請求項６記載の表示装置の製造方法。
【請求項８】
前記マイクロカプセル材料を、前記第１のエリアに選択的に配することを特徴とする請求項６又は７記載の表示装置の製造方法。
【請求項９】
マイクロカプセル材料を配するに際して、ディスペンサを用いて前記マイクロカプセル材料を選択的に配することを特徴とする請求項６〜８のいずれか一項に記載の表示装置の製造方法。
【請求項１０】
前記画素電極が複数設けられてなり、これら画素電極が、全て同じ面積に形成されていることを特徴とする請求項９に記載の表示装置の製造方法。
【請求項１１】
前記マイクロカプセル材料を選択的に配する工程に先立ち、前記第１のエリアに前記マイクロカプセル材料を配する場合には前記第１のエリアを親液化処理するとともに前記第３のエリアを撥液化処理しておき、前記第２のエリアに前記マイクロカプセル材料を配する場合には前記第２のエリアを親液化処理するとともに前記第４のエリアを撥液化処理しておくことを特徴とする請求項６〜１０のいずれか一項に記載の表示装置の製造方法。
【請求項１２】
前記マイクロカプセル材料を選択的に配する工程に先立ち、前記第３のエリアおよび前記第４のエリアの内で、前記マイクロカプセル材料を配する側の基板に位置している方に、隔壁材料を配して隔壁部を形成しておくことを特徴とする請求項６〜１０のいずれか一項に記載の表示装置の製造方法。
【請求項１３】
前記隔壁材料として撥液性のものを用い、
前記マイクロカプセル材料を選択的に配する工程に先立ち、前記第１のエリアおよび前記第２のエリアの内で前記マイクロカプセル材料を配する方を、親液化処理しておくことを特徴とする請求項１２記載の表示装置の製造方法。
【請求項１４】
前記第１の基板および第２の基板がフレキシブル基板からなっていることを特徴とする請求項６〜１３のいずれか一項に記載の表示装置の製造方法。
【請求項１５】
請求項１〜５のいずれか一項に記載の表示装置、あるいは、請求項６〜１４のいずれかに記載の製造方法によって得られた表示装置を、備えたことを特徴とする電子機器。
【発明の詳細な説明】
【技術分野】
【０００１】
本発明は、マイクロカプセルを備えた表示装置とその製造方法、及び、この表示装置を備えてなる電子機器に関する。
【背景技術】
【０００２】
従来、液相分散媒と電気泳動粒子とを含む電気泳動分散液を有し、電界を印可することにより、該電気泳動粒子の分布状態が変化して該電気泳動分散液の光学特性が変化することを利用した、電気泳動表示装置が知られている。このような電気泳動表示装置は、バックライトが必要無いことから低コスト化や薄型化が可能となり、さらに、視野角が広くコントラストが高いことに加え、表示のメモリ性を有するために、次世代の表示デバイスとして注目を集めている。
【０００３】
また、このような電気泳動表示装置においては、電気泳動分散液をマイクロカプセルに封入する手法が提案されている（例えば、特許文献１参照）。電気泳動分散液をマイクロカプセルに封入することにより、表示装置の製造工程において分散液の流出を防止することができるとともに、電気泳動粒子の沈降や凝集を減少させることができるという利点がある。
【０００４】
ところで、このようなマイクロカプセルを備えた電気泳動表示装置を製造する場合、一般には、共通電極を形成した基板の全面にマイクロカプセルを塗着し、その後、このマイクロカプセルを塗着した面に、画素電極を形成した基板を貼着し、ラミネートしている（例えば、特許文献２、３、非特許文献１参照）。
また、インクジェット法を用い、インクジェットノズルからマイクロカプセルを一個ずつ画素電極上に撃ち出す方法も知られている（例えば、特許文献４参照）。
【特許文献１】特開平１−８６１１６号公報
【特許文献２】特開２００２−３１８３９６号公報（特に、段落［０００３］）
【特許文献３】特表２００２−５３２７５６号公報（特に、図７ｂ）
【特許文献４】特開２０００−３５７６９号公報
【非特許文献１】ＳＩＤ９８ＤＩＧＥＳＴ  ｐｐ．１０１４−１０１７
【発明の開示】
【発明が解決しようとする課題】
【０００５】
しかしながら、前述したように共通電極を形成した基板の全面にマイクロカプセルを塗着する方法では、以下に述べる課題がある。
（１）基板の全面にマイクロカプセルを塗着することから、実際の表示に寄与する表示エリアや該表示エリアに対して背景部となる背景エリア以外にも、マイクロカプセルを塗着することとなり、一部の材料が無駄になる。
（２）前記背景部は、単に表示エリアの表示を明瞭に視認できるようにするためのもので、本来は表示を切り換える必要がなく、したがって、この背景部についてもこれが背景色となるように駆動するのは回路構成上の無駄になり、しかも、ここにマイクロカプセルを塗着することは材料の無駄にもなる。
（３）各基板を貼着して表示装置を作製する場合、通常は一方の基板に、他方の基板の電極に電圧を印加するための導電部を形成しておき、基板どうしを貼着する際に、この導電部に他方の基板の電極を導通させるようにする。したがって、前述した例でも、通常は画素電極を形成した基板に予め導電部を形成しておき、画素電極を形成した基板と共通電極を形成した基板とを貼着する際に、導電部に共通電極を導通させるようにする。しかし、共通電極を形成した基板にはその全面にマイクロカプセルが塗着されていることから、前記導電部に導通させる箇所については、貼着前にマイクロカプセルを除去しておかなくてはならない。ところが、マイクロカプセルを除去するためには、例えば機械的にはぎ取ったり、あるいは溶剤等を用いて化学的にはぎ取るといった手法が採られるが、いずれの方法を用いても、下地となる共通電極にダメージを与えてしまい、結果として得られる表示装置の表示特性を低下させてしまう。
さらに、一旦塗着したマイクロカプセルを除去することにより、材料の無駄が生じてしまう。
（４）基板間を貼着した後、通常は電極やマイクロカプセルを湿気等から保護するため、基板の縁部間をシールするが、このシール部分にもマイクロカプセルが塗着されていると基板間のシール性が低くなる。そこで、基板の縁部にあるマイクロカプセルについても、これらを貼着前に除去しておく必要がある。しかし、このようにマイクロカプセルを除去することから、前記の（３）と同様の課題が生じてしまう。
【０００６】
また、前述した、インクジェットノズルからマイクロカプセルを一個ずつ画素電極上に撃ち出す方法にあっては、多数のマイクロカプセルを撃ち出し塗着する必要上、塗工時間が長くなって生産性が低下するといった課題がある。
【０００７】
本発明は前記事情に鑑みてなされたもので、その目的とするところは、マイクロカプセルの材料としての無駄をなくすとともに回路構成を簡易にし、さらには、マイクロカプセルをはぎ取ることに起因する表示特性の低下を防止するとともに、生産性の低下をも防止した、表示装置とその製造方法、及び、この表示装置を備えた電子機器を提供することにある。
【課題を解決するための手段】
【０００８】
前記目的を達成するため本発明の表示装置は、画素電極を有してなる第１の基板と、共通電極を有してなる第２の基板と、これら第１、第２の基板間に挟着されてなるマイクロカプセルと、を備え、前記マイクロカプセルに、電気的刺激に対応して光学特性が変化する表示材料が封入されてなる、表示装置において、
前記マイクロカプセルが、前記第１の基板と第２の基板との間の、前記画素電極によって形成される表示エリアに選択的に配置され、
前記第１の基板あるいは第２の基板の、前記表示エリアに対して背景部となる背景エリアが、背景色に形成されていることを特徴としている。
【０００９】
この表示装置によれば、マイクロカプセルが表示エリアに選択的に配置されているので、必要な箇所にのみ選択的に配置されていることで材料の無駄がなくなる。また、前記表示エリアに対して背景部となる背景エリアが、背景色に形成されているので、従来のごとく背景部におけるマイクロカプセルについてもその表示材料を駆動する必要がなくなり、回路構成が簡易になる。また、この背景部においてマイクロカプセルを塗着することによる材料の無駄もなくなる。
【００１０】
また、前記表示装置においては、前記表示材料が、液相分散媒と電気泳動粒子とを含む電気泳動分散液であってもよい。
このようにすれば、表示装置が電気泳動表示となり、バックライトを必要とせず、視野角が広くコントラストも高く、さらに表示のメモリ性を有する等の利点を有するものとなる。
【００１１】
また、前記表示装置においては、前記背景エリア側となる基板は、その基材の色が前記背景色と同じ色であるのが好ましい。
このようにすれば、特に背景エリアを、印刷等によって背景色に着色する工程が不要となり、製造工程が簡略化する。
【００１２】
また、前記表示装置においては、前記背景エリアが、前記表示エリアを囲んでなる隔壁部によって形成されているのが好ましい。
このようにすれば、製造時、表示エリア、または該表示エリアに対応するエリア上にマイクロカプセル材料を配する工程の際に、前記隔壁部に囲まれたエリアに配することで、より良好にマイクロカプセル材料を選択的に配することができる。
【００１３】
また、前記表示装置においては、前記第１の基板および第２の基板がフレキシブル基板からなっているのが好ましい。
このようにすれば、この表示装置は例えば電子ペーパーなどとして使用できるなど、その用途が拡大する。
【００１４】
本発明の表示装置の製造方法は、画素電極を有してなる第１の基板と、共通電極を有してなる第２の基板と、これら第１、第２の基板間に挟着されてなるマイクロカプセルと、を備え、前記マイクロカプセルに、電気的刺激に対応して光学特性が変化する表示材料が封入されてなる、表示装置の製造方法において、前記第１の基板において前記画素電極によって形成される表示エリアからなる第１のエリア、あるいは前記第２の基板において該表示エリアに対応する第２のエリア上に、前記マイクロカプセルを含有してなるマイクロカプセル材料を選択的に配する工程と、前記第１の基板において前記表示エリアに対して背景部となる背景エリアからなる第３のエリア、あるいは第２の基板において前記背景エリアに対応する第４のエリアを、背景色にする工程と、前記マイクロカプセル材料を乾燥する工程と、前記の乾燥工程後に前記第１の基板と第２の基板とを接合する工程と、を備えたことを特徴としている。
【００１５】
この表示装置の製造方法によれば、マイクロカプセルを含有してなるマイクロカプセル材料を、表示エリアからなる第１のエリア、あるいは該表示エリアに対応する第２のエリアに選択的に配するようにしたので、必要な箇所にのみ選択的に配することで材料の無駄をなくすことができ、しかも、一旦塗着したマイクロカプセルをはぎ取る工程も不要になり、この工程に起因する表示特性の低下を防止することができるとともに、はぎ取ることによる材料の無駄もなくすことができる。
また、前記第１の基板において背景部となる背景エリアからなる第３のエリア、あるいは第２の基板において前記背景エリアに対応する第４のエリアを、背景色にするので、従来のごとく背景部におけるマイクロカプセルについてもその表示材料を駆動する必要がなくなり、回路構成が簡易になる。また、この背景部においてマイクロカプセルを塗着することによる材料の無駄もなくなる。
【００１６】
また、前記表示装置の製造方法においては、前記表示材料が、液相分散媒と電気泳動粒子とを含む電気泳動分散液であってもよい。
このようにすれば、表示装置が電気泳動表示となり、バックライトを必要とせず、視野角が広くコントラストも高く、さらに表示のメモリ性を有する等の利点を有するものとなる。
【００１７】
また、前記表示装置の製造方法においては、マイクロカプセル材料を、前記画素電極によって形成される表示エリアからなる前記第１のエリアに選択的に配するのが好ましい。
このようにすれば、マイクロカプセル材料を直接表示エリアに配するので、マイクロカプセルの塗着に際しての位置合わせ等が容易になり、また、その塗着精度もより良好になる。
【００１８】
また、前記表示装置の製造方法においては、マイクロカプセル材料を配するに際して、ディスペンサを用いて前記マイクロカプセル材料を選択的に配するのが好ましい。
このようにすれば、マイクロカプセル材料の選択的な配置が容易になり、しかも、マイクロカプセル材料の粘度やマイクロカプセルの径にほとんど影響されることなく、材料の吐出を容易に行うことが可能になる。
【００１９】
なお、この表示装置の製造方法においては、前記画素電極が複数設けられている場合に、これら画素電極が、全て同じ面積に形成されているのが好ましい。
このようにすれば、ディスペンサに供給するマイクロカプセル材料の量を、各画素電極によって形成される全ての表示エリア毎、またはこれに対応するエリア毎に同じにしておくことにより、最終的に表示エリア上に配設されるマイクロカプセル材料の膜厚をほぼ同じにすることができる。これにより、各画素電極毎の表示性能の均質化を図ることができる。
【００２０】
また、前記表示装置の製造方法においては、前記マイクロカプセル材料を選択的に配する工程に先立ち、前記第１のエリアに前記マイクロカプセル材料を配する場合には前記第１のエリアを親液化処理するとともに前記第３のエリアを撥液化処理しておき、前記第２のエリアに前記マイクロカプセル材料を配する場合には前記第２のエリアを親液化処理するとともに前記第４のエリアを撥液化処理しておくのが好ましい。
このようにすれば、マイクロカプセル材料の選択的な配置を、より精度良く行うことができる。
【００２１】
また、前記表示装置の製造方法においては、前記マイクロカプセル材料を選択的に配する工程に先立ち、前記第３のエリアおよび前記第４のエリアの内で、前記マイクロカプセル材料を配する側の基板に位置している方に、隔壁材料を配して隔壁部を形成しておくのが好ましい。
このようにすれば、第１のエリアあるいは第２のエリアの上にマイクロカプセル材料を配する工程の際に、前記隔壁部に囲まれたエリアに配することで、より良好にマイクロカプセル材料を選択的に配することができる。
【００２２】
なお、この表示装置の製造方法においては、前記隔壁材料として撥液性のものを用い、前記マイクロカプセル材料を選択的に配する工程に先立ち、前記第１のエリアおよび前記第２のエリアの内で前記該マイクロカプセル材料を配する方を、親液化処理しておくのが好ましい。
このようにすれば、マイクロカプセル材料の選択的な配置を、より精度良く行うことができる。
【００２３】
また、前記表示装置の製造方法においては、前記第１の基板および第２の基板がフレキシブル基板からなっているのが好ましい。
このようにすれば、得られた表示装置は例えば電子ペーパーなどとして使用できるなど、その用途が拡大する。
【００２４】
本発明の電子機器は、前記の表示装置、あるいは、前記の製造方法によって得られた表示装置を備えたことを特徴としている。
この電子機器によれば、前述したように材料の無駄がなくなり、さらに回路構成が簡易なものとなる。
【発明を実施するための最良の形態】
【００２５】
以下、本発明を詳しく説明する。
（第１の実施形態）
まず、本発明の表示装置の第１の実施形態について説明する。
図１は、本発明の表示装置の第１の実施形態を示す図であり、図１中符号１は表示装置である。この表示装置１は、複数の画素電極２を有してなる第１の基板３と、共通電極（対向電極）４を有してなる第２の基板５とを備え、これら第１の基板３と第２の基板５との間に、表示材料を封入したマイクロカプセル６とバインダ１０とを含むマイクロカプセル材料を挟着したものである。なお、このような表示装置１にあっては、その表示面（観測面）をいずれか一方にすることが可能であるが、その場合に、表示面となる基板および電極については、光透過性が高いことが必要があり、特に透明であるのが好ましい。
【００２６】
第１の基板３は、基板３ａ上に、複数の画素電極２、これら画素電極２に接続する配線（図示せず）、後述する第２の基板５の共通電極４に導電材料７ａを介して導通する導電部７、該導電部７に接続する配線（図示せず）、前記各配線に接続する端子部８等を形成してなる矩形のものである。また、第２の基板５は、基板５ａ上に共通電極４を形成した矩形のもので、必要に応じて共通電極４の一方の面側にカラーフィルタを形成したものである。
【００２７】
このような第１の基板３、第２の基板５における基板３ａ、５ａとしては、特に表示装置１がＩＣカードや電子ペーパーなど、フレキシブル性（可撓性）が求められる場合には、矩形状でフィルム状あるいはシート状の樹脂基板が用いられる。また、前述したように各基板が表示面（観測面）となる場合には、前述したように透明なもの（光透過性が高いもの）が用いられる。このような樹脂基板の材料としては、例えばポリエチレンテレフタレート（ＰＥＴ）、ポリエーテルスルホン（ＰＥＳ）、ポリイミド（ＰＩ）、ポリエチレン（ＰＥ）が好適に用いられる。また、表示面とならない場合には、透明である（光透過性が高い）必要はなく、したがって、前記の材料以外にも、ポリエチレンナフタレート（ＰＥＮ）等のポリエステル、ポリスチレン（ＰＳ）、ポリプロピレン（ＰＰ）、ポリカーボネイト（ＰＣ）、ポリエーテルエーテルケトン（ＰＥＥＫ）、アクリルあるいはポリアクリレート類等を用いることもできる。
また、一般のパネルのように表示装置にフレキシブル性（可撓性）が求められない場合には、ガラスや硬質の樹脂、さらには、シリコン等の半導体基板を用いることもできる。
なお、表示面（観測面）となる基板に対向する、もう一方の基板については、後述するように、少なくとも背景部となる背景エリアが背景色に形成されている。
【００２８】
画素電極２や共通電極４についても、前述したようにこれが形成された基板が表示面（観測面）となる場合には、透明なもの（光透過性が高いもの）が用いられる。具体的には、ＩＴＯ（インジウムスズ酸化物）等の導電性酸化物類や、ポリアニリン等の電子導電性高分子類、ポリビニルアルコール樹脂、ポリカーボネイト樹脂等のマトリックス樹脂中にＮａＣｌ、ＬｉＣｌＯ４、ＫＣｌ等のイオン性物質を分散させたイオン導電性高分子類などが挙げられ、これらのうちの一種あるいは二種以上が選択され用いられる。また、これが形成される基板が表示面とならない場合には、透明である（光透過性が高い）必要はなく、したがってアルミニウム（Ａｌ）等の一般的な導電材料が使用可能である。
【００２９】
また、特に画素電極２は、本発明における表示エリアの主要部を構成するものである。すなわち、本発明において表示エリアは、画素電極２を主要部とし、必要に応じて該画素電極２間や画素電極の周辺部を含んで構成される。ここで、画素電極２間を表示エリアとする場合は、これら画素電極２間の幅が狭く、したがって、後述するように画素電極２上あるいはこれに対応する位置（エリア）に選択的にマイクロカプセル材料を塗着した際、少々の位置ずれが生じてもこれを許容できるようにする場合である。また、特に生産性を考慮して、この画素電極２間あるいはこれに対応する位置にもマイクロカプセル材料を塗着することで、複数の画素電極２あるいはこれに対応する位置に対し、マイクロカプセル材料を連続的に塗着する場合もある。一方、画素電極２の周辺部を表示エリアとする場合は、この周辺部をマージンとして確保しておき、後述するようにマイクロカプセル材料を塗着した際、少々の位置ずれが生じてもこれを許容できるようにするためである。
【００３０】
本実施形態では、特に画素電極２が複数のセグメント電極からなっており、この画素電極２（セグメント電極）上が表示エリア９（第１のエリア）となっている。
図２は、第１の基板３の内面側を示す平面図である。この第１の基板３において、画素電極２は、前述したようにいわゆるセブン・セグメントと呼ばれる、同じ形状・大きさの七つのセグメント電極２ａからなっている。セグメント電極２ａは、０から９までの数字を表示し得るように８の字状に配置されたもので、本例では３桁の数字を表示可能とするよう、３組形成されている。そして、このように形成配置されたセグメント電極２ａに対し、その背景部は、表示面（観測面）となる基板に対向する、もう一方の基板に形成されている。本実施形態では、共通電極４を形成した第２の基板５が表示面になるものとし、画素電極２を形成した第１の基板３に、背景部が形成されている。
【００３１】
すなわち、図２に示すように背景部となる背景エリア１５（第３のエリア）は、セグメント電極２ａの外側に位置してなる外背景エリア１５ａと、四つのセグメント電極２ａに囲まれた状態に位置してなる内背景エリア１５ｂと、セグメント電極２ａ、２ａ間に位置してなる間背景エリア１５ｃとからなっている。
この背景エリア１５は、前記マイクロカプセル６に封入された表示材料が実質的な表示をなす際の背景部となるエリアである。つまり、この背景エリア１５は、後述するように表示材料が電気泳動粒子からなり、この電気泳動粒子が例えば表示をなす色と背景をなす色との二色の粒子からなっている場合に、背景をなす色の粒子と同じ色（背景色）に形成されているのである。ただし、この背景エリア１５を形成する第１の基板３においては、前記背景エリア１５のみが前記背景色となっている必要はなく、前記背景エリア１５を含んでいれば、例えば第１の基板３を構成する基板３ａ全体が前記背景色となっていてもよい。
【００３２】
そして、本発明の表示装置１では、図１に示したように第１の基板３と第２の基板５との間において、前記の表示エリア９上にのみ、表示材料を封入したマイクロカプセル６が、バインダ１０に固定された状態で選択的に配設されている。
マイクロカプセル６に封入された表示材料は、電気的刺激に対応して光学特性が変化するもので、具体的には、前述した電気泳動粒子や、液晶を主とするものである。
【００３３】
電気泳動粒子を主とする材料としては、電気泳動粒子と、これを分散させる液相分散媒とからなる、電気泳動分散液が用いられる。
前記液相分散媒としては、水、メタノール、エタノール、イソプロパノール、ブタノール、オクタノール、メチルセルソルブ等のアルコール系溶媒、酢酸エチル、酢酸ブチル等の各種エステル類、アセトン、メチルエチルケトン、メチルイソブチルケトン等のケトン類、ぺンタン、ヘキサン、オクタン等の脂肪族炭化水素、シクロへキサン、メチルシクロへキサン等の脂環式炭化水素、ベンゼン、トルエン、キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼン等の長鎖アルキル基を有するベンゼン類等の芳香族炭化水素、塩化メチレン、クロロホルム、四塩化炭素、１，２−ジクロロエタン等のハロゲン化炭化水素、カルボン酸塩又はその他の種々の油類等の単独、またはこれらの混合物に界面活性剤等を配合したものを用いることができる。
【００３４】
また、電気泳動粒子は、液相分散媒中で電位差による電気泳動により移動する性質を有する有機あるいは無機の粒子（高分子あるいはコロイド）である。
この電気泳動粒子としては、例えば、アニリンブラック、カーボンブラック、チタンブラック等の黒色顔料、二酸化チタン、亜鉛華、三酸化アンチモン等の白色顔料、モノアゾ、ジイスアゾン、ポリアゾ等のアゾ系顔料、イソインドリノン、黄鉛、黄色酸化鉄、カドミウムイエロー、チタンイエロー、アンチモン等の黄色顔料、モノアゾ、ジスアゾ、ポリアゾ等のアゾ系顔料、キナクリドンレッド、クロムバーミリオン等の赤色顔料、フタロシアニンブルー、インダスレンブルー、アントラキノン系染料、紺青、群青、コバルトブルー等の青色顔料、フタロシアニングリーン等の緑色顔料等の１種又は２種以上を用いることができる。
【００３５】
さらに、これらの顔料には、必要に応じ、電解質、界面活性剤、金属石鹸、樹脂、ゴム、油、ワニス、コンパウンド等の粒子からなる荷電制御剤、チタン系カップリング剤、アルミニウム系カップリング剤、シラン系カップリング剤等の分散剤、潤滑剤、安定化剤等を添加することができる。
マイクロカプセル６の壁膜を形成する材料としては、アラビアゴム・ゼラチンの複合膜、ウレタン樹脂、ウレア樹脂、メラミン樹脂などの化合物が使用できる。
【００３６】
また、マイクロカプセル６を固定するためのバインダ１０としては、マイクロカプセル６の壁膜と親和性が良好で、基材と密着性に優れ、かつ絶縁性を有するものが使用可能である。例えば、ポリエチレン、塩素化ポリエチレン、エチレン−酢酸ビニル共重合体、エチレン−アクリル酸エチル共重合体、ポリプロピレン、ＡＢＳ樹脂、メタクリル酸メチル樹脂、塩化ビニル樹脂、塩化ビニル−酢酸ビニル共重合体、塩化ビニル−塩化ビニリデン共重合体、塩化ビニルアクリル酸エステル共重合体、塩化ビニル−メタクリル酸共重合体、塩化ビニル−アクリロニトリル共重合体、エチレン−ビニルアルコール−塩化ビニル共重合体、プロピレン−塩化ビニル共重合体、塩化ビニリデン樹脂、酢酸ビニル樹脂、ポリビニルアルコール、ポリビニルホルマール、セルロース系樹脂等の熱可塑性樹脂、ポリアミド系樹脂、ポリアセタール、ポリカーボネート、ポリエチレンテレフタレート、ポリブチレンテレフタレート、ポリフェニレンオキサイド、ポリスルホン、ポリアミドイミド、ポリアミノビスマレイミド、ポリエーテルスルホン、ポリフェニレンスルホン、ポリアリレート、グラフト化ポリフィニレンエーテル、ポリエーテルエテルケトン、ポリエーテルイミド等の高分子、ポリ四フッ化エチレン、ポリフッ化エチレンプロピレン、四フッ化エチレン−パーフロロアルコキシエチレン共重合体、エチレン−四フッ化エチレン共重合体、ポリフッ化ビニリデン、ポリ三フッ化塩化エチレン、フッ素ゴム等のフッ素系樹脂、シリコーン樹脂、シリコーンゴム等の珪素樹脂、その他として、メタクリル酸−スチレン共重合体、ポリブチレン、メタクリル酸メチル‐ブタジエン−スチレン共重合体等を用いることができる。
【００３７】
ここで、本実施形態の表示装置１においては、前記マイクロカプセル６に電気泳動粒子が二種類封入されており、一方が負に、他方が正に帯電している。これら二種類の電気泳動粒子としては、例えば白色顔料である二酸化チタンと、黒色顔料であるカーボンブラックとが用いられる。そして、このような白、黒の二種類の電気泳動粒子を用いることにより、例えば数字等の表示をなす場合に、黒の電気泳動粒子が表示面側に泳動することによって数字等を表示するようになる。なお、前記画素電極２のうち、黒の電気泳動粒子によって実際の表示をなすセグメント電極２ａ以外の電極２ａでは、白の電気泳動粒子が表示面側に泳動することにより、黒の電気泳動粒子による表示に対する、背景部を形成するようになる。
【００３８】
ここで、背景エリア１５は、前述したように背景をなす色の粒子と同じ色（背景色）に形成されている。したがって、白の電気泳動粒子が表示面側に泳動し、表示に対する背景部を形成した際、この白の電気泳動粒子による背景と前記背景エリア１５による背景とは、同じ色であることによってほとんど識別不能となる。よって、背景部に違和感がなく、黒の電気泳動粒子による表示が明瞭に視認できるようになっているのである。
【００３９】
次に、このような構成からなる表示装置１の製造方法を基に、本発明の製造方法を説明する。本例では、画素電極２を有する第１の基板３がガラス基板であり、共通電極４を有する第２の基板５が、シート状あるいはフィルム状等のフレキシブル基板であるものとする。
まず、図３（ａ）に示すように、第１の基板３の基材であるガラス基板３ａの内面側の少なくとも背景エリア１５（第３のエリア）を、背景部となる色、すなわち背景色である白色に着色する。着色方法としては、スクリーン印刷やインクジェット法による印刷などの各種の印刷法が採用可能である。また、着色する場所については、背景エリア１５のみを選択的に着色してもよいが、特に支障がない場合には、第１の基板３の内面の全面を、背景色に着色してもよい。そして、このようにして少なくとも背景エリア１５を背景色に着色したガラス基板３ａに対し、画素電極２を形成し、さらに導電部７、端子部８を形成する。ここで、画素電極２は図２に示したように複数のセグメント電極２ａからなるものであり、これによって第１の基板３は、各セグメント電極２ａ上を表示エリア９としている。
【００４０】
また、これとは別に、図３（ｂ）に示すように第２の基板５を用意する。ただし、この第２の基板５については、前述したようにシート状あるいはフィルム状のものとし、カットにより単板化される前のテープ状等の状態で製造に供されるものとする。すなわち、ここで用意する第２の基板５は、基板材料としてのフレキシブル基板５ａの内面側の全面に、透明導電材料からなる共通電極４を形成したものである。
【００４１】
そして、特にこの第１の実施形態では、第１の基板３側に、図３（ｃ）に示すように前記のマイクロカプセル６を含有してなるマイクロカプセル材料１１を選択的に配する。ここで、マイクロカプセル材料１１は、マイクロカプセル６と前記バインダ１０とを適宜な配合比で混合したものである。また、このようなマイクロカプセル材料１１については、第１の基板３の全面でなく、予め決められた所定箇所にのみ、選択的に配する。
【００４２】
すなわち、マイクロカプセル材料１１については、特に前記の表示エリア９、つまり画素電極２（セグメント電極２ａ）上にのみ選択的に配する。ここで、このようにマイクロカプセル材料１１を選択的に配する工程に先立ち、該マイクロカプセル材料１１を配する表示エリア９を、該マイクロカプセル材料１１に対する濡れ性が高くなるように親液化処理するとともに、前記背景エリア１５を、前記マイクロカプセル材料１１に対する濡れ性が低くなるように撥液化処理しておくのが好ましい。親液化処理としては、例えば前記画素電極２表面をプラズマ処理することによって行うことができる。また、背景エリア１５に対する撥液化処理としては、例えばフッ化アルキルシラン（ＦＡＳ）等を用いたフッ素化処理等によって行うことができる。このように、親液化処理、撥液化処理をそれぞれにしておくことにより、マイクロカプセル材料１１の選択的な配置を、より精度良く行うことができる。
【００４３】
また、画素電極２（セグメント電極２ａ）上へのマイクロカプセル材料１１の選択的な配置については、特に限定されることなく、例えばスクリーン印刷等の各種の印刷法や、ディスペンサを用いる方法が採用可能である。ただし、前述したように各セグメント電極２ａが同じ形状・大きさに形成されており、したがって同じ面積である場合には、ディスペンサを用いる方法が特に好適とされる。
【００４４】
ディスペンサを用いることにより、マイクロカプセル材料１１の選択的な配置が容易になり、しかも、マイクロカプセル材料１１の粘度やマイクロカプセル６の径にほとんど影響されることなく、材料の吐出を容易に行うことができる。また、ディスペンサに供給するマイクロカプセル材料１１の量を、各セグメント電極２ａ（画素電極２）毎に同じにしておくことにより、各セグメント電極２ａ（画素電極２）上に形成される表示エリア９上に、マイクロカプセル材料１１をほぼ同じ膜厚に塗着することができ、これによって各セグメント電極２ａ（画素電極２）毎の表示性能の均質化を図ることができる。
【００４５】
そして、このように表示エリア９に選択的にマイクロカプセル材料１１を配したら、このマイクロカプセル材料１１を乾燥する。乾燥方法としては、特に限定されることなく、ヒータ等による加熱乾燥や、温風・熱風の吹き付け乾燥、さらには減圧乾燥など、従来公知の種々の乾燥方法が採用可能である。このようにして乾燥すると、バインダ１０が固化することにより、マイクロカプセル６は画素電極２上に固定される。このとき、マイクロカプセル６は、画素電極２上にて互いに密集（密着）した状態のままで単一の層構造となり、また、乾燥の過程で、画素電極２上に隙間無く密着した状態となる。
【００４６】
その後、このようにしてマイクロカプセル６を塗着した第１の基板３に対し、前記第２の基板５を対向させ、前記導電部７が予め設けておいた導電材料７ａを介して共通電極４に導通するように、接合する。そして、この状態でラミネートすることにより、図１に示した表示装置１を得る。
なお、前述したように第２の基板５が、シート状あるいはフィルム状のものでカットにより単板化される前の状態である場合には、前記の塗工処理、乾燥処理については順次連続的に行うものとする。そして、これらの処理が終了した後、第１の基板３（ガラス基板）に貼着する前に、カットして単板化し、用いる。
【００４７】
このようにして得られた表示装置１にあっては、マイクロカプセル６が表示エリア９に選択的に配置されているので、必要な箇所にのみ選択的に配置されていることで材料の無駄がなくなり、したがって製造コストが低減化されたものとなる。また、前記表示エリア９に対して背景部となる背景エリア１５が、背景色に形成されているので、従来のごとく背景部におけるマイクロカプセル６についてもその表示材料を駆動する必要がなくなる。よって、本発明のものでは、実際の表示をなす画素電極２（セグメント電極２ａ）のみを駆動するだけでよくなることから、駆動のための回路構成が簡易になる。また、この背景部においてマイクロカプセル６を塗着することによる材料の無駄もなくなる。
【００４８】
また、このような表示装置１の製造方法にあっては、マイクロカプセル６を含有してなるマイクロカプセル材料１１を、セグメント電極２ａ上の表示エリア９に選択的に配するようにしたので、必要な箇所にのみ選択的に配することで材料の無駄をなくすことができる。また、従来の、一旦塗着したマイクロカプセル６をはぎ取る工程が不要になり、したがって、この工程に起因する表示特性の低下を防止することができるとともに、はぎ取ることによる材料の無駄もなくすことができる。
さらに、ディスペンサを用いてマイクロカプセル材料１１を選択的に配しているので、マイクロカプセル材料１１の粘度やマイクロカプセル１１の径にほとんど影響されることなく、その吐出を容易に行うことができる。したがって、インクジェット法を用いた従来法のように生産性が低下してしまうのを、防止することができる。
また、マイクロカプセエル材料１１を表示エリア９に直接配するようにしたので、マイクロカプセエル材料１１の塗布位置や塗布量をより容易に、かつ良好に制御することができる。
【００４９】
なお、前記実施形態においては、第２の基板５として予め共通電極４を形成したものを用意し、これを第１の基板３に接合するようにしたが、本発明はこれに限定されることなく、例えば、第１の基板３上に共通電極４を形成し、その後、該共通電極４を覆って第２の基板５の基板材料５ａを貼着することにより、第２の基板５を形成すると同時に、表示装置１を形成するようにしてもよい。
【００５０】
すなわち、図４（ａ）に示すように、前記表示エリア９上のマイクロカプセル６を覆い、かつ導電部７を覆った状態に透明導電材料を配し、共通電極４を形成する。ここで、透明導電材料としては、前述したようにＩＴＯ（インジウムスズ酸化物）等の導電性酸化物類や、ポリアニリン等の電子導電性高分子類、ポリビニルアルコール樹脂、ポリカーボネイト樹脂等のマトリックス樹脂中にＮａＣｌ、ＬｉＣｌＯ４、ＫＣｌ等のイオン性物質を分散させたイオン導電性高分子類などを用いることができる。また、透明導電材料を配する方法としては、透明導電材料の種類や形態に応じて、貼着法や各種の印刷法、スパッタ法、蒸着法など、従来公知の種々の手法を採用することができる。また、スパッタ法や蒸着法を採用した場合には、マスク蒸着によって選択的に蒸着したり、あるいは成膜後にエッチング等によってパターニングする、などの手法を組み合わせて行うことができる。
【００５１】
このようにして共通電極４を形成することにより、マイクロカプセル６の配列によって形成された凹凸の凹部を、透明導電材料で埋めることができる。また、この例では、第１の基板３の導電部７に直接透明導電材料を配することができるため、図１に示した導電材料７ａが不要となる。
なお、共通電極４を形成した後、特に表示エリア９の外周側において、第１の基板３と共通電極４との間にシール材１３を配しておき、画素電極２やマイクロカプセル６を水分等から保護するようにしておく。
【００５２】
その後、図４（ｂ）に示すように、前記共通電極４を覆ってフレキシブル基板である透明基板材料（基板５ａ）を貼着し、これによって、第２の基板５を形成すると同時に、これを第１の基板３上に接合（ラミネート）する。なお、透明基板材料（基板５ａ）を貼着する場合、図４（ｂ）中実線で示すように単に共通電極４を覆った状態で貼着するのでなく、図４（ｂ）中二点鎖線で示すようにシール材１３をも覆った状態に貼着すれば、より封止性が高まり、好ましい。
【００５３】
このような製造方法にあっては、乾燥後のマイクロカプセル６を覆って透明導電材料を配すことで共通電極４を形成し、さらに、該共通電極４を覆って透明基板材料（基板５ａ）を貼着するようにしたので、マイクロカプセル６の配列によって形成された凹凸の凹部を、透明導電材料で埋めることができ、したがって、第２の基板５側を表示面とした場合に、この第２の基板５側においてマイクロカプセル６間に隙間が形成されることにより、表示性能が低下するのを防止することができる。
【００５４】
（第２の実施形態）
次に、本発明の表示装置の第２の実施形態について説明する。
図５は、本発明の表示装置の第２の実施形態を示す図であり、図５中符号２０は表示装置である。この表示装置２０が図１に示した表示装置１と主に異なるところは、背景エリア１５が、表示エリア９を囲んでなる隔壁部２１によって形成されている点と、第１の基板３と第２の基板５とが共にフレキシブル基板からなっており、したがって表示装置２０自体もフレキシブル性（可撓性）を有している点である。
【００５５】
この表示装置２０では、図２に示した、画素電極２（セグメント電極２ａ）を囲んだ背景エリア１５となる位置に、隔壁部２１が形成されている。この隔壁部２１は、ポリエチレンテレフタレート（ＰＥＴ）、ポリエーテルスルホン（ＰＥＳ）、ポリイミド（ＰＩ）、ポリエチレン（ＰＥ）等の樹脂や、これらをフッ素化してなる樹脂によって形成されたものである。また、この隔壁部２１は、その高さが、この隔壁部２１に囲まれた状態に形成された画素電極２（セグメント電極２ａ）と、これの上に形成配置されマイクロカプセル材料１１からなる層とを合計した厚さに、ほぼ等しくなるように形成されている。
【００５６】
ここで、この隔壁部２１は、背景エリア１５として機能するようになっており、したがってこのこの隔壁部２１は、前記の背景色に着色されている。すなわち、前述したようにマイクロカプセル６中の二種類の電気泳動粒子のうちの、背景側となる粒子の色と同じ色（本実施形態では白色）に着色されたものとなっている。
【００５７】
このような表示装置２０を形成するには、先の第１の実施形態と同様に、第１の基板３、第２の基板５をそれぞれ用意する。
まず、図６（ａ）に示すように第１の基板３として、フレキシブル基板３ａに前記セグメント電極２ａからなる画素電極２を形成し、さらに導電部７、端子部８を形成したものを用意する。ただし、この第１の基板３については、シート状あるいはフィルム状のもので、カットにより単板化される前の状態のものとする。
【００５８】
そして、この第１の基板３に対して、図２に示した背景エリア１５となる位置、すなわち、画素電極２（セグメント電極２ａ）を囲んだ位置に、隔壁部２１を形成する。隔壁部２１の形成については、前述した材料を前記背景エリア１５となる位置にディスペンサ法やインクジェット法等を用いて選択的に配し、その後、乾燥（焼成）等によって隔壁部２１とする。あるいは、前記材料をスピンコート法等によって全面に形成し、その後、エッチング等によるパターニングにより、背景エリア１５となる位置に選択的に形成してもよい。さらには、スクリーン印刷法によって直接形成するようにしてもよい。
【００５９】
また、このようにして形成する隔壁部２１については、これが背景部となることから、前述したように背景色に着色する必要がある。この着色法としては、スクリーン印刷やインクジェット法による印刷など、各種の印刷法を採用することができる。また、予め隔壁部２１の形成材料中に顔料や染料を混入しておき、形成した隔壁部２１が背景色を呈するようにしてもよい。
【００６０】
また、特に後述するマイクロカプセル材料１１の選択的配置を容易にするため、前述したように、マイクロカプセル材料１１を配する表示エリア９を、該マイクロカプセル材料１１に対する濡れ性が高くなるように親液化処理するとともに、背景エリア１５となる隔壁部２１を、前記マイクロカプセル材料１１に対する濡れ性が低くなるように撥液化処理しておくのが好ましい。
【００６１】
親液化処理としては、前述したように前記画素電極２表面をプラズマ処理することなどによって行うことができる。また、隔壁部２１に対する撥液化処理については、この隔壁部２１を形成する材料として、ポリイミド（ＰＩ）やさらには前記樹脂材料をフッ素化してなるものを用いることで、行うのが好ましい。
【００６２】
次いで、このようにして隔壁部２１を形成した第１の基板３の、前記画素電極２（セグメント電極２ａ）上に、すなわち、隔壁部２１に囲まれたエリアに、図５（ｂ）に示すように前記のマイクロカプセル６を含有してなるマイクロカプセル材料１１を選択的に配する。この、表示エリア９へのマイクロカプセル材料１１の選択的な配置についても、第１の実施形態と同様に、ディスペンサを用いる方法が好適に採用される。そして、本実施形態では、特に隔壁部２１で表示エリア９となる画素電極２（セグメント電極２ａ）を囲んでいるので、例えばマイクロカプセル材料１１の粘度を低くしておくことにより、ディスペンサのノズルを画素電極２（セグメント電極２ａ）上で移動させることなく、一箇所に固定した状態で材料を吐出しても、良好に材料層を形成することができる。つまり、材料がその流動性によって広がり、レベニングすることにより、得られる材料層の膜厚がほぼ均一になるのである。
【００６３】
ここで、本実施形態では第１の基板３がシート状あるいはフィルム状等のフレキシブル基板であることにより、このフレキシブル基板にマイクロカプセルを塗工処理し、さらに乾燥処理する際、これら処理を連続的に行うことができる。すなわち、フレキシブル基板にマイクロカプセルを塗工処理することにより、例えばドラムに巻回したシート状あるいはフィルム状のフレキシブル基板材料を、リール・トゥ・リールによる巻き出し、巻き取り方式で流していき、その間で塗工処理、乾燥処理を順次連続的に行うことで、生産性を上げることができる。もちろん、これらの処理が終了した後、第２の基板５に貼着する前、あるいは貼着後に、処理後のフレキシブル基板材料をカットして単板化する。
【００６４】
このようにして表示エリア９上に選択的にマイクロカプセル材料１１を配したら、第１の実施形態と同様にしてマイクロカプセル材料１１を乾燥する。このように乾燥することにより、マイクロカプセル６は表示エリア９上に固定される。このとき、マイクロカプセル６は、表示エリア９上にて互いに密集（密着）した状態のままで単一の層構造となり、また、乾燥の過程で、表示エリア９上に隙間無く密着した状態となる。
【００６５】
その後、マイクロカプセル６を固定した第１の基板３と第２の基板５とを、前記第１の実施形態と同様にして接合する。なお、本実施形態においても、第２の基板５として、図３（ｂ）に示したように予め共通電極４を形成したものを用い、これを前記第１の基板３に貼着してもよく、図４（ａ）、（ｂ）で説明したように、第１の基板３上に共通電極４、基板５ａを順次設けることにより、第２の基板５を形成すると同時に、表示装置２０を形成するようにしてもよい。
なお、第１の基板３、第２の基板５の両方が、シート状あるいはフィルム状のものでカットにより単板化される前の状態である場合には、前記の接合処理が終了した後、第１の基板３と第２の基板５とを共にカットして、単一の表示装置２０を得る。
【００６６】
このようにして得られた表示装置２０にあっても、マイクロカプセル６が表示エリア９に選択的に配置されているので、必要な箇所にのみ選択的に配置されていることで材料の無駄がなくなり、したがって製造コストが低減化されたものとなる。また、前記表示エリア９に対して背景部となる隔壁部２１（背景エリア１５）が、背景色に着色されて形成されているので、従来のごとく背景部におけるマイクロカプセル６についてもその表示材料を駆動する必要がなくなる。よって、本発明のものでは、実際の表示をなす画素電極２（セグメント電極２ａ）のみを駆動するだけでよくなることから、駆動のための回路構成が簡易になる。また、この背景部においてマイクロカプセル６を塗着することによる材料の無駄もなくなる。
また、背景エリア１５が、表示エリア９（画素電極２）を囲んでなる隔壁部２１によって形成されているので、製造時、表示エリア９にマイクロカプセル材料１１を配する工程の際に、前記隔壁部２１に囲まれたエリアに配することで、より良好にマイクロカプセル材料１１を選択的に配することができる。
【００６７】
また、このような表示装置２０の製造方法にあっては、マイクロカプセルを含有してなるマイクロカプセル材料１１を、表示エリア９に選択的に配するようにしたので、前記第１の実施形態と同様に、必要な箇所にのみ選択的に配することで材料の無駄をなくすことができる。また、従来の、一旦塗着したマイクロカプセル６をはぎ取る工程が不要になり、したがって、この工程に起因する表示特性の低下を防止することができるとともに、はぎ取ることによる材料の無駄もなくすことができる。
また、背景エリア１５に、隔壁材料を配して隔壁部２１を形成しているので、前述したように表示エリア９（画素電極２）に対し、より良好にマイクロカプセル材料を選択的に配することができる。
さらに、ディスペンサを用いてマイクロカプセル材料１１を選択的に配しているので、前記第１の実施形態と同様に、生産性が低下してしまうのを防止することができる。
【００６８】
なお、本発明は前記実施形態に限定されることなく、本発明の要旨を逸脱しない限り種々の変更が可能である。例えば、前記実施形態では、第１の基板３に対してマイクロカプセル材料１１を配するようにしたが、第２の基板３の、前記画素電極によって形成される表示エリア９（第１のエリア）に対応するエリア（第２のエリア）上に、マイクロカプセル材料を選択的に配するようにしてもよい。
すなわち、図１１（ａ）に示すように、マイクロカプセル材料１１を、表示エリア９（第１のエリア）ではなく、第２の基板５の上で表示エリア９と対応するエリア９ａ（第２のエリア）に配しても良い。ここで“対応する”とは、同図で示したように、前述した第１の基板と第２の基板とをラミネートする工程において、お互いに張り合わされる位置にある領域同士のことを意味する。すなわちラミネート工程において表示エリア９とエリア９ａとは張り合わされるので、マイクロカプセル材料１１を表示エリア９に配した場合でエリア９ａに配した場合でも、結果的には図１に示した表示装置１を得ることが出来るのである。
ここで、マイクロカプセル材料１１を、表示エリア９ではなくエリア９ａに選択的に配する場合には、マイクロカプセルを配する工程に先立ち、エリア９ａを、該マイクロカプセル材料１１に対する濡れ性が高くなるように親液化処理しておくとともに、エリア９ａ以外の領域、すなわち背景エリア１５（第３のエリア）に対応するエリア１５ａ（第４のエリア）を、前記マイクロカプセル材料１１に対する濡れ性が低くなるように撥液化処理しておいても良い。親液化処理および撥液化処理としては、例えば前述の方法と同様な方法が適用できる。
また、マイクロカプセル材料１１を、表示エリア９（第１のエリア）ではなくエリア９ａ（第２のエリア）に選択的に配する場合には、図１１（ｂ）に示すように、背景エリア１５（第３のエリア）に対応するエリア１５ａ（第４のエリア）に隔壁部２１を形成してもよい。
また、前記実施形態では、マイクロカプセル６に封入された表示材料が電気泳動粒子を主とする場合について説明したが、本発明はこれに限定されることなく、表示材料が例えば液晶であってもよい。
【００６９】
また、前記第１の実施形態では、第１の基板３に対し印刷等によって着色することで、その背景エリア１５を背景色に着色したが、本発明はこれに限定されることなく、例えば第１の基板３の基材となる基板３ａとして樹脂製の基板を用いた場合などでは、この基材となる基板３ａの色を前記背景色と同じ色にしておくようにしてもよい。すなわち、予め樹脂材料中に所望の色の顔料や染料を混入しておくことにより、基板３ａが背景色と同じ色を呈するようにしておく。このようにすれば、特に背景エリア１５を、印刷等によって背景色に着色する工程が不要となり、製造工程を簡略化することができる。
あるいは、第２の基板３の、背景エリア１５（第３のエリア）に対応するエリア１５ａ（第４のエリア）を背景色に着色してもよい。ラミネート工程により、背景エリア１５とエリア１５ａとは張り合わされるので、背景エリア１５を着色してもエリア１５ａを着色しても、結果的には同じ効果が得られるのである。エリア１５ａを着色する方法としては、前述した背景エリア１５を着色する方法と同様な方法を適用することが出来る。
また、前記実施形態においては、各基板の材質についても、一方あるいは両方をフレキシブル基板としているが、両方とも硬質の基板としてもよい。
さらに、前記実施形態では、表示エリアが一つである場合について説明したが、複数の表示エリアが、それぞれ島状に独立して形成される場合にも、本発明の製造方法を適用することができる。
【００７０】
次に、本発明の電子機器について説明する。本発明の電子機器は、前述した本発明の表示装置を備えてなるものである。
以下、前記表示装置を備えた電子機器の例について説明する。
【００７１】
＜モバイル型コンピュータ＞
まず、前記表示装置を、モバイル型のパーソナルコンピュータに適用した例について説明する。図７は、このパーソナルコンピュータの構成を示す斜視図である。パーソナルコンピュータ８０は、図７に示すように、キーボード８１を備えた本体部８２と、前記表示装置６４を備えた表示ユニットとから構成されている。
【００７２】
＜携帯電話＞
次に、前記表示装置を、携帯電話の表示部に適用した例について説明する。図８は、この携帯電話の構成を示す斜視図である。この携帯電話９０は、図８に示すように、複数の操作ボタン９１のほか、受話口９２、送話口９３とともに、前記表示装置６４を備えるものである。
【００７３】
＜電子ペーパー＞
次に、前記表示装置を、電子ペーパーの表示部に適用した例について説明する。図９は、この電子ペーパーの構成を示す斜視図である。この電子ペーパー１１０は、紙と同様の質感および柔軟性を有するリライタブルシートからなる本体１１１と、前記表示装置６４を備えた表示ユニットとから構成されている。
【００７４】
＜電子ノート＞
また、図１０は、電子ノートの構成を示す斜視図である。この電子ノート１２０は、図１０に示すように、図９に示した電子ペーパー１１０が複数枚束ねられ、それらの電子ペーパー１１０がカバー１２１に挟まれているものである。カバー１２１に表示データ入力手段を備えることにより、束ねられた状態で電子ペーパーの表示内容を変更することができるようになっている。
【００７５】
このような電子機器によれば、前述したように材料の無駄がなく製造され、しかもマイクロカプセル中の表示材料を駆動するための回路構成が簡易な表示装置を備えているので、コストの低減化がなされ、しかも装置構成が簡略化されたものとなる。
なお、前記の電子機器としては、図７のパーソナルコンピュータ、図８の携帯電話、図９の電子ペーパー、図１０の電子ノート以外にも、例えば表示部に前記表示装置を備え、さらに指紋検知センサ等を備えたＩＣカードや、さらには、電子ブック、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などを挙げることができる。そして、これらの各種電子機器の表示部として、前記の表示装置が適用可能なのは言うまでもない。
【図面の簡単な説明】
【００７６】
【図１】本発明の表示装置の第１の実施形態の概略構成を示す側断面図である。
【図２】第１の基板の内面側を示す平面図である。
【図３】（ａ）〜（ｃ）は第１の実施形態の製造方法を説明するための図である。
【図４】（ａ）、（ｂ）は第１の実施形態の変形例を説明するための図である。
【図５】本発明の表示装置の第２の実施形態の概略構成を示す側断面図である。
【図６】（ａ）、（ｂ）は第２の実施形態の製造方法を説明するための図である。
【図７】本発明の電子機器の例であるコンピュータの外観構成を示す斜視図である。
【図８】本発明の電子機器の例である携帯電話の外観構成を示す斜視図である。
【図９】本発明の電子機器の例である電子ペーパーの外観構成を示す斜視図である。
【図１０】本発明の電子機器の例である電子ノートの外観構成を示す斜視図である。
【図１１】本発明の表示装置の変形例を説明するための側断面図である。
【符号の説明】
【００７７】
１、２０…表示装置、２…画素電極、２ａ…セグメント電極、３…第１の基板、
３ａ…基板、４…共通電極、５…第２の基板、５ａ…基板、６…マイクロカプセル、
９…表示エリア、１１マイクロカプセル材料、１５…背景エリア、２１…隔壁部
【図１】
2006171688.tif 000003
【図２】
2006171688.tif 000004
【図３】
2006171688.tif 000005
【図４】
2006171688.tif 000006
【図５】
2006171688.tif 000007
【図６】
2006171688.tif 000008
【図７】
2006171688.tif 000009
【図８】
2006171688.tif 000010
【図９】
2006171688.tif 000011
【図１０】
2006171688.tif 000012
【図１１】
2006171688.tif 000013